【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
原稿が載置される平面的に配設された第１ガラス及び第２ガラスと、
前記第１ガラス及び第２ガラスの間に配設された介在部材と、
前記原稿を読み取るイメージセンサと、
前記イメージセンサに設けられて、かつ付勢手段に付勢されて前記第１ガラス及び第２ガラスに接触して前記イメージセンサを前記第１ガラス及び第２ガラスに対して隙間を生じさせた状態で、前記イメージセンサとともに前記第１ガラス及び第２ガラスの下面を移動可能なスペーサと、
前記スペーサが前記介在部材の下方を通過するとき前記イメージセンサと前記スペーサとを前記介在部材から遠ざける離間手段と、
前記スペーサが前記介在部材の下方を通過して前記離間手段による前記遠ざける動作を解除されるとき、前記スペーサのスペーサ移動方向の先端側を後端側より先にガラスに接触するように前記スペーサを傾斜させる傾斜手段と、
を備えていることを特徴とする読取装置。
【請求項２】
前記傾斜手段が、前記スペーサの前記先端側に設けられて、前記付勢手段の一部分を受け止める突起部であることを特徴とする請求項１に記載の読取装置。
【請求項３】
前記傾斜手段が、前記スペーサの前記後端側に形成されて、前記付勢手段の一部分を受け止める凹部であることを特徴とする請求項１又は２に記載の読取装置。
【請求項４】
前記傾斜手段が、前記イメージセンサに設けられて前記付勢手段を受け止める傾斜部材であり、前記傾斜部材は、前記スペーサのスペーサ移動方向の上流側部を下流側部より前記ガラスから遠ざけられていることを特徴とする請求項１乃至３のいずれか１項に記載の読取装置。
【請求項５】
前記傾斜手段が、前記付勢手段と兼用された縦にした圧縮コイルばねであり、前記圧縮コイルばねの上端部を下端部より前記スペーサ移動方向の上流側に傾いていることを特徴とする請求項１に記載の読取装置。
【請求項６】
前記スペーサが、前記スペーサの移動方向の中間部分に、前記スペーサの移動方向に沿った長さを有して前記第１ガラス及び第２ガラスに接触する接触部を有していることを特徴とする請求項１乃至４のいずれか１項に記載の読取装置。
【請求項７】
前記第１ガラスと前記第２ガラスとの一方のガラスが前記介在部材の上流側に配設されて上面を前記原稿が通過する流し読みガラスであり、他方のガラスが前記介在部材の下流側に配設されて上面に前記原稿が置かれる固定読みガラスであり、
前記固定読みガラスが前記スペーサのスペーサ移動方向の先端側が後端側より先に接触するガラスであることを特徴とする請求項１乃至６のいずれか１項に記載の読取装置。
【請求項８】
原稿を読み取る読取装置と、
前記読取装置の読取情報に基づいてシートに画像を形成する画像形成手段と、を備え、
前記読取装置が、請求項１乃至７のいずれか１項に記載の読取装置であることを特徴とする画像形成装置。
【手続補正２】
【補正対象書類名】明細書
【補正対象項目名】００１９
【補正方法】変更
【補正の内容】
【００１９】
本発明の読取装置における、前記スペーサは、前記スペーサの移動方向の中間部分に、前記スペーサの移動方向に沿った長さを有して前記第１ガラス及び第２ガラスに接触する接触部を有している。
本発明の読取装置における、前記第１ガラスと前記第２ガラスとの一方のガラスが前記介在部材の上流側に配設されて上面を前記原稿が通過する流し読みガラスであり、他方のガラスが前記介在部材の下流側に配設されて上面に前記原稿が置かれる固定読みガラスであり、前記固定読みガラスが前記スペーサのスペーサ移動方向の先端側が後端側より先に接触するガラスである。
【手続補正３】
【補正対象書類名】明細書
【補正対象項目名】００２１
【補正方法】削除
【補正の内容】
【手続補正４】
【補正対象書類名】明細書
【補正対象項目名】００３２
【補正方法】変更
【補正の内容】
【００３２】
装置本体１５２の内部を説明する。読取装置１５３で読み取られた原稿の画像情報は、コントローラ１６１を介してレーザビームスキャナ１６２によって、感光体ドラム１６３上に静電潜像として形成される。感光体ドラム１６３の表面は、静電潜像が形成される前、予め一次帯電器１６４によって、一様に帯電してある。感光体ドラム１６３の静電潜像は、現像器１６５によって、現像剤であるトナーによって現像されて、トナー像となる。
【手続補正５】
【補正対象書類名】明細書
【補正対象項目名】００３３
【補正方法】変更
【補正の内容】
【００３３】
一方、シート供給ローラ１６６は、シート供給カセット１６７の中の中板１７５に積載してあるシートＰを、シート供給カセット１６７から送り出す。搬送ローラ対１６８は、シートをレジストローラ対１６９に送り込む。レジストローラ対１６９は、回転を停止している状態でシートを受け止めて、シートに撓みを形成させて、シートの斜行を真っ直ぐに直す。
【手続補正６】
【補正対象書類名】明細書
【補正対象項目名】００３９
【補正方法】変更
【補正の内容】
【００３９】
したがって、駆動モータ１０４によって、タイミングベルト１０８が循環すると、タイミングベルト１０８に連動して走行体１０２が移動し、イメージセンサ１０１がコンタクトガラス１１０と流し読みガラス１２０との下側を移動する。イメージセンサ１０１の移動方向は、駆動モータ１０４の正逆回転により変えることができる。
【手続補正７】
【補正対象書類名】明細書
【補正対象項目名】００５０
【補正方法】変更
【補正の内容】
【００５０】
そこで、本発明の読取装置１５３は、図７に示すように、スペーサ１１１の延出部１１２の下面１１２ａに下向きの突起部１１４を突設してある。傾斜手段である例えば突起部１１４は、圧縮コイルばね１１５を受け止める位置で、かつイメージセンサ１０１とスペーサ１１１が移動して行く方向の先端側に突設してある。このように、スペーサ１１１に突起部１１４を設けると、圧縮コイルばね１１５の突起部１１４に接触している側（図７で右側）が、反対側（図７で左側）より圧縮されることになり、圧縮コイルばね１１５は、スペーサ１１１が移動して行く方向の先端側をコンタクトガラス１１０に接近させる力をスペーサ１１１に加えることになる。すなわち、突起部１１４があることによって、圧縮コイルばね１１５が図７において、スペーサ１１１に右肩上がりの力を加えるようになっている。
【手続補正８】
【補正対象書類名】明細書
【補正対象項目名】００５４
【補正方法】変更
【補正の内容】
【００５４】
図９に示すスペーサ２１１は、延出部２１２の下面２１２ａに傾斜手段である例えば凹部２１４を形成してある。凹部２１４は、圧縮コイルばね１１５を受け止める位置で、かつスペーサ２１１が移動して行く方向の後端側に形成してある。このように、スペーサ２１１に凹部２１４を設けると、圧縮コイルばね１１５の凹部２１４に接触している側（図９で左側）が、反対側（図９で右側）より圧縮されていないことになり、圧縮コイルばね１１５は、スペーサ２１１が移動して行く方向の先端側をコンタクトガラス１１０に接近させる力をスペーサ２１１に加えることになる。すなわち、凹部２１４があることによって、圧縮コイルばね１１５が図９において、スペーサ２１１に右肩上がりの力を加えるようになっている。
【手続補正９】
【補正対象書類名】図面
【補正対象項目名】図４
【補正方法】変更
【補正の内容】
【図４】
2006115031.tif 000001
【手続補正１０】
【補正対象書類名】図面
【補正対象項目名】図５
【補正方法】変更
【補正の内容】
【図５】
2006115031.tif 000002